(57)【要約】      （修正有）【課題】胴部と脚部を備える可変トルソにおいて、胴部と一対の脚部を用いて立ちポーズ及び座りポーズの両方に対応できるようにすること、及び立ちポーズとする際及び座りポーズとする際の組み立て作業を容易にすることである。【解決手段】胴部２の底面の左右に脚部を着脱できる底面嵌合部６を設け、胴部の下部前面の左右に脚部を着脱できる前面嵌合部８を設け、脚部の上端に底面嵌合部及び前面嵌合部に着脱できる上端係合部を設ける。また、展示形態を変更できるようにするため、脚部を曲折可能に形成したり、胴部２の上部背面に引っ掛け部を設けたりする。【選択図】図１
2014226259.tif 000002
【特許請求の範囲】
【請求項１】
胴部と、該胴部に着脱可能な一対の脚部を備える可変トルソであって、
前記胴部の底面の左右に前記脚部を着脱できる底面接合部を設け、
前記胴部の下部前面の左右に前記脚部を着脱できる前面接合部を設け、
前記脚部の上端に前記底面接合部及び前記前面接合部に着脱できる上端接合部を設けたことを特徴とする
可変トルソ。
【請求項２】
前記脚部は、少なくとも１箇所で曲折可能であることを特徴とする
請求項１に記載の可変トルソ。
【請求項３】
前記脚部は、屈曲可能な軟質素材で形成されていることを特徴とする
請求項１又は２に記載の可変トルソ。
【請求項４】
前記胴部の上部背面に、引っ掛け部を設けたことを特徴とする
請求項１ないし３のいずれかに記載の可変トルソ。
【請求項５】
一対の腕部を備え、
前記胴部の上部側方の左右に前記腕部を着脱できる側方接合部を設け、
前記腕部の一端に前記側方接合部に着脱できる一端接合部を設けたことを特徴とする
請求項１ないし４のいずれかに記載の可変トルソ。
【発明の詳細な説明】
【技術分野】
【０００１】
本発明は、衣料品店、玩具店、レストラン等の各種店舗において展示されるトルソであって、複数種類のポーズに対応できるようにした、少なくとも胴部及び脚部を備える可変トルソに関する。
【背景技術】
【０００２】
従来、胴部に複数種類の脚部を取り付けて、立った状態と座った状態の両方に対応できるトルソ（ディスプレー用人形）が製作されている。
例えば、特許文献１（実願平３−１０２９３０号（実開平５−４１４７０号）のＣＤ−ＲＯＭ）には、胴部（２）の下に側方支柱（14）を取り付けたり、軟質部材（26）を介在させて側方支柱（14）を取り付けたりして、取付板（20）上に人形Ａを立った状態で固定したり、椅子（27）に座らせたりするものが記載されている。
【０００３】
しかし、複数種類の脚部を取り付けて、立ちポーズ及び座りポーズの両方に対応できるようにしたトルソは、それぞれの状態にするための専用の脚部やパーツが必要であり、同じ脚部やパーツを用いて両方の状態にすることはできなかった。
例えば、特許文献１記載の人形Ａは、立った状態とするために、固定用杆体（21）を立設した取付板（20）が用意されており（段落００１０及び図１を参照）、座った状態とするために、軟質部材（26）が必要である（段落００１２及び図６を参照）。
【先行技術文献】
【特許文献】
【０００４】
【特許文献１】実願平３−１０２９３０号（実開平５−４１４７０号）のＣＤ−ＲＯＭ
【発明の概要】
【発明が解決しようとする課題】
【０００５】
本発明の課題は、胴部と一対の脚部を用いて立ちポーズ及び座りポーズの両方に対応できるようにすること、及び立ちポーズとする際及び座りポーズとする際の組み立て作業を容易にすることである。
【課題を解決するための手段】
【０００６】
請求項１に係る発明の可変トルソは、胴部と、該胴部に着脱可能な一対の脚部を備え、胴部の底面の左右に脚部を着脱できる底面接合部を設け、胴部の下部前面の左右に脚部を着脱できる前面接合部を設け、脚部の上端に底面接合部及び前面接合部に着脱できる上端接合部を設けたことを特徴とする。
【０００７】
請求項２に係る発明の可変トルソは、請求項１に記載の可変トルソにおいて、脚部が少なくとも１箇所で曲折可能であることを特徴とする。
【０００８】
請求項３に係る発明の可変トルソは、請求項１又は２に記載の可変トルソにおいて、脚部が屈曲可能な軟質素材で形成されていることを特徴とする。
【０００９】
請求項４に係る発明の可変トルソは、請求項１ないし３のいずれかに記載の可変トルソにおいて、胴部の上部背面に引っ掛け部を設けたことを特徴とする。
【００１０】
請求項５に係る発明の可変トルソは、請求項１ないし４のいずれかに記載の可変トルソにおいて、一対の腕部を備え、胴部の上部の左右に腕部を着脱できる側方接合部を設け、腕部の一端に側方接合部に着脱できる一端接合部を設けたことを特徴とする。
【発明の効果】
【００１１】
請求項１に係る発明によれば、２つの底面接合部に一対の脚部を取り付けることによって立ちポーズで可変トルソの展示ができ、２つの前面接合部に一対の脚部を取り付けることによって座りポーズで可変トルソの展示ができる。
また、一対の脚部３の一方を底面嵌合部６の一方（右側又は左側）に取り付け、一対の脚部３の他方を前面嵌合部８の他方（左側又は右側）に取り付けることによって、片足を上げたポーズや前後に足を開いたポーズ等、立ちポーズでも座りポーズでもないその他のポーズで可変トルソの展示を行うことができる。
そして、可変トルソを立ちポーズ、座りポーズ又はその他のポーズで展示する場合だけに用いるパーツがないので、立ちポーズから座りポーズやその他のポーズへと変更する際、又は座りポーズから立ちポーズやその他のポーズへと変更する際に、必要なパーツを探したり、不要となったパーツを片付けたりする必要がなく、展示準備作業をスムーズに行うことができる。
さらに、ポーズの変更作業においては、底面接合部又は前面接合部から一対又は一方の脚部を外し、他方の接合部に一対又は一方の脚部を取り付けることになるが、脚部の外し方及び取り付け方は、底面接合部及び前面接合部ともに同じであるため、作業手順を覚えやすく、容易にポーズの変更作業が行えるという効果も奏する。
【００１２】
請求項２又は３に係る発明によれば、請求項１に係る発明による効果に加え、脚部が少なくとも１箇所で曲折可能であるので、立ちポーズ及び座りポーズにおいて、脚部の少なくとも１箇所を適宜折り曲げることができるので、様々な形態での展示が可能となる。
特に、請求項３に係る発明によれば、脚部の適宜の位置で適宜の方向に折り曲げることが可能なので、可変トルソを非常に多くの形態で展示できる。
【００１３】
請求項４に係る発明によれば、請求項１ないし３のいずれかに係る発明による効果に加え、胴部の上部背面に引っ掛け部が設けてあり、この引っ掛け部を、上方に延びる支柱又は壁に設けてあるフック、突起、穴、凹部若しくはループ体等に引っ掛けて展示することもでき、展示箇所の自由度を上げることができる。
【００１４】
請求項５に係る発明によれば、請求項１ないし４に係る発明による効果に加え、一対の腕部を備え、胴部の上部側方の左右に、腕部を着脱できる側方接合部を設け、腕部の一端に側方接合部に着脱できる一端接合部を設けてあるので、腕のあるポーズを追加することができる。
【図面の簡単な説明】
【００１５】
【図１】胴部下方からの斜視図。
【図２】胴部の底面に脚部、上部側方に腕部を取り付けた状態を示す図。
【図３】胴部の下部前面に脚部、上部側方に腕部を取り付けた状態を示す図。
【図４】胴部の嵌合部の平面図と断面図。
【図５】上端接合部の斜視図と側面図。
【発明を実施するための形態】
【００１６】
以下、実施例によって本発明の実施形態を説明する。
【実施例】
【００１７】
実施例の可変トルソ１は、胴部２、一対の脚部３及び一対の腕部４よりなっており、胴部２に一対の脚部３及び一対の腕部４を取り付けて使用される。
胴部２の下方からの斜視図を図１に示す。
図１に示すように、胴部２の底面５の左右に後述する底面嵌合部６、下部前面７の左右に後述する前面嵌合部８及び上部９の左右に後述する側方嵌合部１０が設けてあり、底面嵌合部６及び前面嵌合部８のいずれかに脚部３の上端が着脱可能に取り付けられ、側方嵌合部１０に腕部４の一端が着脱可能に取り付けられるようになっている。
【００１８】
底面嵌合部６に脚部３の上端を取り付け、側方嵌合部１０に腕部４の一端を取り付けた状態の可変トルソ１を正面から見た状態を図２（１）に、同可変トルソ１を側面から見た状態を図２（２）に示す。
また、前面嵌合部８に脚部３の上端を取り付け、側方嵌合部１０に腕部４の一端を取り付けた状態の可変トルソ１を正面から見た状態を図３（１）に、同可変トルソ１を側面から見た状態を図３（２）に示す。
すなわち、胴部２、一対の脚部３及び一対の腕部４のみを用いて、脚部３の上端を底面嵌合部６に取り付ければ図２に示す立ちポーズのトルソとなり、脚部３の上端を前面嵌合部８に取り付ければ図３に示す座りポーズのトルソとなる。
【００１９】
脚部３の上端には後述する上端係合部１１が形成され、下端部は足の部分を模すように略直角に曲げられている。
そして、脚部３の上端部及び下端部以外の部分は、いずれの方向にも屈曲可能な軟質素材で形成され、立ちポーズにおいては、主として伸ばした状態で、座りポーズにおいては、主として中央部を略直角に曲げた状態で展示される。
また、腕部４は脚部３と同様、その一端部及び他端部以外の部分は、いずれの方向にも屈曲可能な軟質素材で形成され、その一端には後述する一端係合部１２が形成されている。
なお、図２及び図３には、立ちポーズ及び座りポーズにおける展示状態の一例を示したが、脚部３及び腕部４の軟質素材部分は、それぞれ適宜の位置で適宜の方向に折り曲げることができるので、それらの折り曲げ位置、折り曲げ方向及び折り曲げ角度の組み合わせによって、非常に多くの形態で展示することが可能である。
【００２０】
胴部２の底面嵌合部６、前面嵌合部８及び側方嵌合部１０の平面図を図４（１）に、同平面図に垂直でＡ−Ａ線を含む平面で切った断面図を図４（２）に示す。
なお、底面嵌合部６、前面嵌合部８及び側方嵌合部１０は、いずれも同じ構造となっている。
これらの図に示すように、底面嵌合部６、前面嵌合部８及び側方嵌合部１０は、円環板１３の中央部に円錐台形状の筒体１４が立設されたものとなっている。
そして、筒体１４には上端から長手方向に筒体１４の中央付近まで延びる４つの溝１５が形成されるとともに、上端部近傍の内壁にリング状の突起１６が形成されている。
さらに、円環板１３の周辺部にはビス穴１７が４箇所設けられており、胴部２の底面５の左右、下部前面７の左右及び上部９の左右に設けられている取付穴に筒体１４を挿入した上で、ビス１８によって胴部２に円環板１３を固定している。
底面嵌合部６、前面嵌合部８及び側方嵌合部１０は、このような構造となっているので、それぞれ下方及び前方に突出する部分がない。
そのため、可変トルソ１を座りポーズで用いる際には、胴部２を平面上に安定して載置でき、立ちポーズで用いる際には、着せ替え時に服が引っかかったり、服を着せた時に胴部２の下方が膨らんだりすることがない。
【００２１】
脚部３の上端係合部１１及び腕部４の一端係合部１２の斜視図を図５（１）に、側面図を図５（２）に示す。
なお、上端係合部１１及び一端係合部１２は、いずれも同じ構造となっている。
これらの図に示すとおり、上端係合部１１及び一端係合部１２は、円板１９の中央部に円柱形状の円筒体２０が立設されたものとなっている。
そして、円筒体２０には上端から長手方向に円筒体２０の下端付近まで延びる２つの溝条２１が形成されるとともに、上部の外壁にリング状の凹部２２が形成されている。
さらに、円筒体２０の下部には長手方向に突条２３が設けられるとともに、円板１９の周辺部にはビス穴が４箇所設けられており、ビス２４によって脚部３の上端面及び腕部４の一端面に固定されている。
【００２２】
胴部２に脚部３を取り付ける際には、底面嵌合部６若しくは前面嵌合部８の筒体１４に、上端係合部１１の円筒体２０を挿入し、胴部２に腕部４を取り付ける際には、側方嵌合部１０の筒体１４に、一端係合部１２の円筒体２０を挿入する。
筒体１４の円環板１３側の内径は、円筒体２０の外径より少し大きいので、筒体１４への挿入当初はスムーズに挿入される。
その後、円筒体２０を押し込んでいくと、円筒体２０の先端部が筒体１４の内壁にぶつかり、筒体１４の溝１５が形成されている部分は外側に広がり、円筒体２０の溝条２１が形成されている部分は内側に縮まりながら、円環板１３に円板１９がぶつかるまで押し込まれ、その時点でリング状の突起１６が凹部２２に係合して固定される。
また、円筒体２０が筒体１４に押し込まれた状態においては、円筒体２０の下部に設けられた突条２３が筒体１４の内壁に密着するので、脚部３や腕部４がしっかり固定され、がたつきにくい。
【００２３】
胴部２に取り付けてある脚部３を外す際、又は胴部２に取り付けてある腕部４を外す際には、脚部３又は腕部４を強く引っ張ると、筒体１４の溝１５が形成されている部分が外側に広がるとともに、円筒体２０の溝条２１が形成されている部分が内側に縮まって、リング状の突起１６と凹部２２と係合状態が解ける。
そして、その係合状態が解けると、円筒体２０が筒体１４から抜ける方向にスムーズに移動できるようになるので、脚部３の上端係合部１１又は腕部４の一端係合部１２を、胴部２の底面嵌合部６若しくは前面嵌合部８又は側方嵌合部１０から容易に外せる。
【００２４】
胴部２の背面の上端部には開口穴（図示せず）が形成されており、その開口穴を上方に延びる支柱又は壁に設けてあるフックや突起に引っ掛けて展示することができるようになっている。
そのため、脚部３や腕部４を取り付けた可変トルソ１を立てかけたり、置いたりするだけでなく、支柱や壁に吊して展示することもできる。
【００２５】
実施例の変形例を列記する。
（１）実施例の可変トルソ１は、胴部２に一対の脚部３及び一対の腕部４を取り付けて使用されるが、腕部４は取り付けずに展示することも可能である。
また、実施例においては、一対の脚部３を底面嵌合部６に取り付けて立ちポーズのトルソとし、前面嵌合部８に取り付けて座りポーズのトルソとしたが、一対の脚部３の一方を底面嵌合部６の一方（右側又は左側）に取り付け、一対の脚部３の他方を前面嵌合部８の他方（左側又は右側）に取り付けても、片足を上げたポーズや前後に足を開いたポーズ等、立ちポーズでも座りポーズでもないその他のポーズのトルソを構成することができる。
さらに、胴部２の上端（首部）の上に頭部を設けたり、着脱可能に結合できる頭部を設けたりしても良いが、着脱可能に結合できる頭部を設ける場合には、胴部２の上端と頭部の下端に胴部頭部ジョイント部品を設けることとなる。
（２）実施例の脚部３及び腕部４は、軟質素材で形成され、いずれの箇所においても曲折することができるが、脚部３及び腕部４を硬質素材で形成しても、立った状態及び座った状態（足を前に出した状態）の両方に対応することが可能である。
また、複数の硬質素材と１若しくは複数の軟質素材又は複数の硬質素材と１若しくは複数のヒンジの組み合わせ等により、１若しくは複数箇所で曲折可能とすれば、脚部３や腕部４を１若しくは複数箇所で適宜の角度に折り曲げることができるので、立ちポーズ及び座りポーズに合わせた各種形態での展示が可能となる。
（３）実施例の可変トルソ１は、胴部２の底面５の左右に底面嵌合部６、胴部２の下部前面７の左右に前面嵌合部８及び胴部２の上部９の左右に側方嵌合部１０を設けているが、腕部４を用いない場合には側方嵌合部１０を設ける必要はない。
（４）実施例の可変トルソ１は、胴部２の底面５の左右に底面嵌合部６、胴部２の下部前面７の左右に前面嵌合部８及び胴部２の上部９の左右に側方嵌合部１０を設けるとともに、脚部３に上端係合部１１、腕部４に一端係合部１２を設けているが、胴部２と脚部３を接合する構造及び胴部２と腕部４を接合する構造は、嵌合部に係合部を押し込んで固定するものに限らない。
例えば、胴部２側にねじ穴を設けるとともに、脚部３の上端及び腕部４の一端にねじを設けて固定するねじ込み式、胴部２側に脚部３及び腕部４の取り付け面に平行な嵌入部を設けるとともに、脚部３の上端及び腕部４の一端に、端面に平行で嵌入部に差し込み可能な平板体又は棒状体を有するＬ字状の差し込み部を設けて固定する差し込み式、胴部２側に磁石を設けるとともに、脚部３の上端及び腕部４の一端に磁性体を設けて固定する磁力式等どのような構造であっても良い。
そのため、実施例の説明以外の部分においては、嵌合部及び係合部に代え接合部として説明している。
（５）実施例の胴部２の背面の上端部に開口穴が形成されており、その開口穴を上方に延びる支柱又は壁に設けてあるフックや突起に引っ掛けて展示することができるようになっているが、開口穴に限らず、開口穴の形成位置に、フック、穴の開いている突片又はループ体を設けて、フックを支柱又は壁に設けてある穴、凹部、フック若しくはループ体に引っ掛けたり、穴の開いている突片又はループ体を支柱又は壁に設けてあるフックに引っ掛けたりして、展示するようにしても良い。
そのため、実施例の説明以外の部分においては、開口穴に代え引っ掛け部として説明している。
【符号の説明】
【００２６】
１  可変トルソ      ２  胴部      ３  脚部
４  腕部      ５  底面  ６  底面嵌合部
７  下部前面      ８  前面嵌合部      ９  上部
１０  側方嵌合部      １１  上端係合部
１２  一端係合部      １３  円環板      １４  筒体
１５  溝      １６  突起      １７  ビス穴
１８、２４  ビス      １９  円板      ２０  円筒体
２１  溝条      ２２  凹部      ２３  突条
【図１】
2014226259.tif 000003
【図２】
2014226259.tif 000004
【図３】
2014226259.tif 000005
【図４】
2014226259.tif 000006
【図５】
2014226259.tif 000007